(57)【要約】【課題】  片面２層ディスクにおいて容易にＢＣＡが作成可能な片面多層光ディスク、ＢＣＡ記録装置、ＢＣＡ記録方法及び光ディスク装置を提供する。【解決手段】  所定波長のレーザ光の照射によって記録と再生を行って光入射面に対して独立して少なくとも２つの記録層を有する片面多層光ディスクにおいて、前記光入射面から最も遠い記録層上にＡｇ合金反射層を用い、このＡｇ合金反射層の光吸収率が前記波長に対して２０％以上５０％以下であることを特徴とする。【選択図】      図１
2008004151.tif 000002
【特許請求の範囲】
【請求項１】
所定波長のレーザ光の照射によって記録と再生を行って光入射面に対して独立して少な
くとも２つの記録層を有する片面多層光ディスクにおいて、
前記光入射面から最も遠い記録層上にＡｇ合金反射層を用い、このＡｇ合金反射層の光
吸収率が前記波長に対して２０％以上５０％以下であることを特徴とする片面多層光ディ
スク。
【請求項２】
所定波長のレーザ光の照射によって記録と再生を行って光入射面に対して独立して少な
くとも２つの記録層を有する片面多層光ディスクにおいて、
前記光入射面から最も遠い記録層上にＡｇ合金反射層を用い、このＡｇ合金反射層の熱
伝導率が５０Ｗ／ｍＫ以上２５０Ｗ／ｍＫ以下であることを特徴とする片面多層光ディス
ク。
【請求項３】
前記記録層上にＢｉ、Ｃｕ、Ｍｇ、Ｐｄ、Ｐｔ、Ｓｎ、Ｔｉ、Ｉｎのうち何れか一つを
含むＡｇ合金反射層を有することを特徴とする請求項１乃至２記載の片面多層光ディスク
。
【請求項４】
請求項１乃至請求項２のいずれか１項に記載の片面多層光ディスクに対して、所定波長
のレーザ光を、前記光入射面とは反対側のディスク面から前記光入射面から最も遠い前記
記録層のバーストカッティングエリアに照射して、このバーストカッティングエリアに、
前記片面多層光ディスクに関する特定情報を記録することを特徴とするバーストカッティ
ングエリアへの記録方法。
【請求項５】
請求項１乃至請求項２のいずれか１項に記載の片面多層光ディスクに情報記録を行なう
装置であって、
前記バーストカッティングエリアに記録すべき特定情報を発生する手段と、
前記所定波長のレーザ光を用いて、前記光入射面とは反対側のディスク面から前記光入
射面から最も遠い前記記録層のバーストカッティングエリアに前記特定情報を記録する手
段とを具備したことを特徴とするバーストカッティングエリア記録装置。
【請求項６】
請求項１乃至請求項２のいずれか１項に記載の片面多層光ディスクにレーザ光を照射す
る照射手段と、
前記照射手段によって照射された前記レーザ光からの反射光を受光する受光手段と、
前記受光手段によって受光された前記反射光に基づいて、前記光ディスクを再生する再
生手段とを有することを特徴とする光ディスク装置。
【発明の詳細な説明】
【技術分野】
【０００１】
この発明は、片面当たり２層以上の記録層を有する片面多層光ディスクに関する。特に
、受光面からみて奥側の層にバーストカッティングエリア（ＢＣＡ：Burst Cutting Area
）が記録される片面多層光ディスクに関する。また、この片面多層光ディスクのＢＣＡに
ＢＣＡレコード情報を記録するＢＣＡ記録装置、ＢＣＡ記録方法に関する。また、この片
面多層光ディスクに情報を記録または再生する光ディスク装置に関する。
【背景技術】
【０００２】
光を使って情報を高密度に記録再生する光ディスクには、利用者が手にする時点で予め
情報が記録されている再生専用光ディスクと、利用者自らが記録する記録型光ディスクに
大別することが出来る。さらに記録型光ディスクには何度でも書き換え可能な相変化型光
ディスクや一度だけ記録可能な追記型光ディスクが存在する。いずれの光ディスクもディ
スク内周部から順にディスク管理情報領域（ＢＣＡ）、及び主情報記録領域が形成されて
いる。ＢＣＡにはディスクの管理情報が記録されており、再生専用ディスクの場合はバー
コード状のマークとしてＢＣＡを予めスタンパに形成しておくため同一コンテンツである
限り同じ情報が記録されたＢＣＡを持つディスクが大量に生産されることになる。一方記
録型光ディスクの場合、工場出荷時に初期化装置などによりディスク１枚毎に異なるディ
スク管理情報をＢＣＡに形成する。
【０００３】
なお、光ディスクにＢＣＡを記録する方法として、特開２００６−４８７７１号公報（
特許文献１）に記載されている。
【特許文献１】特開２００６−４８７７１公報
【発明の開示】
【発明が解決しようとする課題】
【０００４】
追記型片面２層ディスクにおいて光入射側から見て２番目の層（以降Ｌ１層）にＢＣＡ
を形成するには１番目の層越しにレーザーを照射する必要が生じる。しかしこの方法では
１番目の層（以降Ｌ０層）による吸収のために大パワーのレーザーが必要となるばかりで
なくＬ０層にも影響を与えるためＢＣＡ作成法として適していない。そこでＬ１層の反射
層側、レーベル印刷面側からレーザーを照射してＢＣＡを作成する方法が実施されている
。追記型片面２層ディスクの場合は、いずれの記録層も記録後に反射率が下がるHigh to 
Low（Ｈ to Ｌ）極性であるためスペース部にレーザーを照射して反射率を低下させるこ
とになる。
【０００５】
スペース部の反射率を低くする方法は単層追記型ディスクと同様であるが、反射層側か
らレーザーを照射して反射層を直接加熱溶融させて破壊するため多くのパワーが必要とな
り、レーザーに掛かる負荷は大きくなる。
【０００６】
一方、次世代ＤＶＤとして規格化が進められているＨＤ  ＤＶＤでは追記型規格で従来
ＤＶＤとは逆の反射率極性であるLow to High (以降Ｌ to Ｈ：記録後の反射率が上がる)
が認められている。このためＢＣＡの作成も従来方法と逆になり、記録部にレーザーを照
射して反射率を増加させる。さらに次世代ＤＶＤでもＬ to Ｈ極性の追記型片面２層ディ
スクが検討されており、この場合は現行２層ディスクと同様にＬ１層の反射層側からレー
ザーを照射してＢＣＡを作成することになる。また波長４０５ｎｍの青紫色レーザーと光
学開口率（ＮＡ）０．８５を用いる光ディスク規格Ｂｌｕ−ｒａｙでも追記型の片面２層
ディスクではＢＣＡ作成に関して同様の問題が生じるものと考えられる。
【０００７】
以上述べたように追記型の片面２層光ディスクではＢＣＡ作成方法が確立されておらず
短時間且つ低コストで作成する方法が期待されている。
そこで、本発明の目的は、上記の問題を解決するために成されたものであり、片面２層
ディスクにおいてＬ１層の反射層にＡｇ合金を用いることによって熱伝導率と光吸収率を
制御してディスク裏面からのＢＣＡ作成を容易にする片面多層光ディスク、ＢＣＡ記録装
置、ＢＣＡ記録方法及び光ディスク装置を提供する。
【課題を解決するための手段】
【０００８】
本発明による光ディスクは、光照射によって記録と再生を行い、光入射面に対して２つ
の記録層を独立して有する。いずれの記録層も有機色素からなっており反射層を有する。
特に、光入射側から遠いＬ１層は有機色素記録層とＡｇ合金反射層からなる。Ａｇ合金反
射層はＢｉ、Ｃｕ、Ｍｇ、Ｐｄ、Ｐｔ、Ｓｎ、Ｔｉ、Ｉｎの何れかを５ａｔ％以下含むＡ
ｇ合金からなっている。ＢＣＡ作成用の光源波長に対する光学吸収率は２０％以上５０％
以下であることが望ましく、または／および熱伝導率が５０Ｗ／ｍＫ以上２８０Ｗ／ｍＫ
以下であることが望ましい。
【０００９】
追記型光ディスクにおいて、ディスク管理情報が予め書き込まれているバンドがＢＣＡ
として、利用者がデータを記録する領域は主情報記録領域として示されている。ＢＣＡを
作成する際は、一定速度で回転するディスクの光入射側の反対側（以下、ディスク裏面と
称す）から規格で指定された半径位置に高出力レーザーを照射してＬ１層のＡｇ合金反射
層を加熱する。このときＡｇ合金反射層内で発生した熱は有機色素記録層に伝わり、主情
報記録領域への記録と同じ原理で有機色素が変質し反射率が変化する。
【００１０】
同時にＡｇ合金も酸化などの化学的変化や物理的な形状変形を伴うため反射率変化はよ
り大きなものとなる。このようにして本発明の技術を使えばＬ０層に影響を与えることな
く効率的にＬ１層にＢＣＡを作成できるのは以下のような理由によるものである。
【００１１】
すなわちＡｇ合金反射層の光吸収率が２０％以上であれば、照射されたレーザーが効率
的に吸収されるため実用的なレーザー出力でＢＣＡ作成が可能となる。またＡｇ合金反射
層の熱伝導率が２８０Ｗ／ｍＫ以下であれば、有機色素層へ熱が伝わり変化を促すことが
可能となる。熱伝導率が２８０Ｗ／ｍＫ以上になると、Ａｇ合金反射層の面内熱伝導が顕
著になり有機色素記録層へ熱が伝わりにくくなる。
【００１２】
一方、熱伝導率が５０Ｗ／ｍＫ未満になると有機色素記録層へ熱が伝わらず有機色素記
録層が変化しないため、本来追記型光ディスクの機能である主情報記録領域へのデータ記
録が困難になる。さらにＡｇ合金反射層の光学特性もＢＣＡ作成に影響を与える。Ａｇ合
金反射層の光吸収率が２０％以上でレーザー照射部が発熱し有機色素記録層に熱が伝わる
。光吸収率が２０％未満になると照射された光が効率的に熱にならないため高出力のレー
ザーが必要になる。しかし、光吸収率が５０％より大きくなると全反射膜であるＬ１用Ａ
ｇ合金反射層の反射率が５０％以下になるため、ＢＣＡ１と主情報記録領域２における再
生時反射率が十分に取れなくなる恐れがある。
【００１３】
このような理由からＢＣＡ作成と記録特性を両立させるためには、Ｌ１層のＡｇ合金反
射率層の光吸収率が５０％以下である必要がある。
本発明による追記型光ディスクは以下に述べる方法でＢＣＡを作成する。回転するディ
スクの規格で指定された半径位置に、ディスク裏面からＬ１層に焦点を合わせてレーザー
をパルス照射する。このときパルス照射部のＡｇ合金反射層と有機色素層が変質するため
未照射部より反射率が低くなりバーコード状のＢＣＡがリング状に作成される。
【発明の効果】
【００１４】
この発明によれば、片面２層ディスクにおいてＬ１層の反射層にＡｇ合金を用いること
によって熱伝導率と光吸収率を制御してディスク裏面からのＢＣＡ作成を容易にすること
ができる。
【発明を実施するための最良の形態】
【００１５】
以下、この発明の実施例について、図面を参照しながら詳細に説明する。
図１は、本発明の実施形態に係る片面２層光ディスクの概観図である。
図１に示す追記型光ディスクにおいて、ディスク管理情報が予め書き込まれているバン
ド１がＢＣＡとして、利用者がデータを記録する領域は主情報記録領域２として示されて
いる。ＢＣＡを作成する際は一定速度で回転するディスクの光入射側の反対側（ディスク
裏面）から規格で指定された半径位置に高出力レーザーを照射してＬ１層のＡｇ合金反射
層を加熱する。
【００１６】
図２は、本発明の片面２層光ディスクのＬ１層の断面構造を示した図である。
図２に示すように、ポリカーボネイト（ＰＣ）など光源波長に対して透光性のある基板
１０上に、有機色素記録層１１と透過型反射層１２からなるＬ０層と、紫外線硬化樹脂か
らなる中間層１３を介して、有機色素記録層１４と全反射層１５からなるＬ１層がある。
さらに紫外線硬化樹脂層１６を介してポリカーボネイト１７が貼り合わせられている。
【００１７】
このとき再生装置の対物レンズＮＡに合わせてＰＣ１０とＰＣ１７の厚さを選ぶことが
できる。例えば、記録再生装置の光源波長が４０５ｎｍ、対物レンズＮＡが０．６５の場
合はＰＣ１０、ＰＣ１７とも約０．６ｍｍとすることが望ましい。あるいは光源波長が４
０５ｎｍ、対物レンズＮＡが０．８５の場合はＰＣ１０を約０．１ｍｍ、ＰＣ１７を約１
．１ｍｍとすることが望ましい。このように本発明による光ディスクは記録再生装置の光
学系によらず効果を発揮することができる。
【００１８】
図３は、図２の片面２層光ディスクの具体例を示した図である。
予め主情報記録領域２の物理構造がフォーマットされた直径１２０ｍｍ、厚さ０．６ｍ
ｍのＰＣ基板２０上に、アゾ金属錯体をスピンコーターで約８０ｎｍ塗布した記録層２１
と、Ａｇ９８Ｐｄ１Ｃｕ１をＲＦマグネトロンスパッタ法で１７ｎｍ成膜した反射層２２
からなるＬ０層を形成した。引き続き紫外線硬化樹脂２３をスピンコートして、Ｌ１層用
にフォーマットされたＰＣ製スタンパを押し付けて転写した後、紫外線を照射して樹脂を
硬化させた。その後、Ｌ０層と同様の方法で塗布した８０ｎｍのアゾ金属錯体記録層２４
とＬ０層と同様の方法で１００ｎｍ成膜したＡｇ９８Ｐｄ１Ｃｕ１反射層２５からなるＬ
１層を形成した。さらに、紫外線硬化樹脂層２６を介してＬ１層のフォーマット転写に用
いられたＰＣ製スタンパ２７を貼り合わせて、本発明によるディスクＡを作製した。
【００１９】
上記と同じ方法でＬ１層の反射層としてＡｇを用いた比較用ディスクＢも同時に作製し
た。完成したディスクの半径２２．３ｍｍから２３．１５ｍｍにかけて図７の条件でレー
ザーをディスク裏面から照射してＢＣＡを作成した。
【００２０】
ＢＣＡの物理構造の一例を図８に示す。
図８（ａ）に例示されるように、このＢＣＡに記録されるＢＣＡレコードには、相対バ
イト位置０〜１にＢＣＡレコードＩＤ（ＨＤ＿ＤＶＤブックタイプ識別子を示す）が記述
され、相対バイト位置２に適用規格のバージョン番号が記述され、相対バイト位置３にデ
ータ長が記述され、相対バイト位置４に規格書のブックタイプとディスクタイプが記述さ
れ、相対バイト位置５に拡張パートバージョンが記述され、相対バイト位置６〜７はその
他の情報記述用に予約されている。
【００２１】
ＢＣＡレコードのうち、そのディスクが準拠する規格書のブックタイプとディスクタイ
プの欄は、図８（ｂ）に例示されるようになっている。すなわち、ブックタイプにはＨＤ
＿ＤＶＤ−Ｒ用の規格であることを示す情報を記述できるようになっており、ディスクタ
イプにはマーク極性フラグとツインフォーマットフラグを記述できるようになっている。
【００２２】
図８（ｂ）のマーク極性フラグは、“0b”のときは記録マークからの信号が（隣接マー
ク間の）スペースからの信号よりも大きい“Low-to-High”ディスクであることを示し、
“1b”のときは記録マークからの信号がスペースからの信号よりも小さい“High-to-Low
”ディスクであることを示すことができる。また、ツインフォーマットフラグは、“0b”
のときはツインフォーマットディスクではなく、“1b”のときはツインフォーマットディ
スクであることを示すことができる。ツインフォーマットディスクであるときは、（その
ＢＡＣレコードが記録された）ディスクが２つの記録層を持ち、各層がＤＶＤフォーラム
で規定された別個のフォーマット（例えばHD_DVD-Video formatとHD_DVD-Video Recordin
g format）を持つことになる。
【００２３】
現行ＤＶＤではツインフォーマットディスクは存在しないが、次世代のＨＤ＿ＤＶＤで
はツインフォーマットディスクが存在し得るので、ＢＣＡにツインフォーマットフラグを
記述できるようになっていることは、この発明の一実施の形態に係る追記型多層（２層）
光ディスク（次世代のＨＤ＿ＤＶＤ用のディスク）にとって大きな意味がある。
【００２４】
次に、図３で説明した２種類のディスクＡ、ＢのＢＣＡ再生信号特性を、レーザー出力
をパラメータとして測定した。レーザー照射部の反射率のレーザー出力依存性を図４に示
す。
【００２５】
本発明によるディスクＡでは出力８００ｍＷから急激に反射率が増加し始め、１１００
ｍＷから１５００ｍＷにかけて安定した反射率を示し良好な記録が得られている。しかし
、１６００ｍＷ以上では急激に反射率が低下している。これはＬ１反射層が過剰な熱によ
って破壊され再生光が散乱されたためである。
【００２６】
一方、Ｌ１層反射層としてＡｇを使った比較用ディスクＢは測定したレーザー出力では
変化を示さなかった。この時のディスクＡとＢにおけるＬ１反射層の光吸収率を測定した
ところ、ディスクＡは３１％を示したのに対して、ディスクＢはわずか５％であった。こ
のように光吸収率が小さいＡｇ１００ｎｍを反射層に用いたディスクＢではレーザー照射
によって効果的に発熱しないため、有機色素記録層に熱が伝わらず色素が変化しなかった
と考えられる。
【００２７】
次に、図５は図３に用いた反射層の材料を変えた場合の片面２層光ディスクの断面を示
した図である。図５に示すように、予め主情報記録領域２の物理構造がフォーマットされ
た直径１２０ｍｍ、厚さ０．６ｍｍのＰＣ基板３０上に、アゾ金属錯体をスピンコーター
で約８０ｎｍ塗布した記録層３１と、Ａｇ９９Ｂｉ１をＲＦマグネトロンスパッタ法で１
７ｎｍ成膜した反射層３２からなるＬ０層を形成した。
【００２８】
引き続き紫外線硬化樹脂３３をスピンコートして、Ｌ１層用にフォーマットされたＰＣ
製スタンパを押し付けて転写した後、紫外線を照射して樹脂を硬化させた。その後、Ｌ０
層と同様の方法で塗布した８０ｎｍのアゾ金属錯体記録層３４とＬ０層と同様の方法で１
００ｎｍ成膜したＡｇ９９Ｂｉ１反射層３５からなるＬ１層を形成した。
【００２９】
さらに紫外線硬化樹脂層３６を介してＬ１層のフォーマット転写に用いられたＰＣ製ス
タンパ３７を貼り合わせて、本発明によるディスクＣを作製した。
上記と同じ方法で、Ｌ１層の反射層としてＡｇとＡｌを用いた２種類の比較用ディスク
ＤとＥも同時に作製した。完成したディスクの半径２２．３ｍｍから２３．１５ｍｍにか
けて図７の条件でレーザーをディスク裏面から照射してＢＣＡを作成した。
【００３０】
次ぎに、図５で示した３種類のディスクＣ、Ｄ、ＥのＢＣＡ再生信号特性を、レーザー
出力をパラメータとして測定した。レーザー照射部の反射率のレーザー出力依存性を図６
に示す。
【００３１】
本発明によるディスクＣでは、出力８００ｍＷから１６００ｍＷにかけて反射率が上昇
し、Ｌ１層記録層に良好に記録されていることがわかる。しかし１７００ｍＷ以上では急
激に反射率が低下している。これはＬ１反射層が過剰な熱によって破壊され再生光が散乱
されたためである。
【００３２】
一方、Ｌ１層反射層としてＡｇとＡｌを使った比較用ディスクＤとＥは測定したレーザ
ー出力では変化を示さなかった。同時に用意したＡｇ９９Ｂｉ１薄膜、Ａｇ薄膜及びＡｌ
薄膜の熱伝導率を測定した結果、それぞれ１８０Ｗ／ｍＫ、３００Ｗ／ｍＫ、２９０Ｗ／
ｍＫとなった。Ａｇ９９Ｂｉ１に比べて熱伝導率が高いＡｇとＡｌを反射層に用いた場合
は、レーザー照射による熱が主に面内方向に拡散するために、有機色素記録層に熱が伝わ
らず色素が変化しなかったと考えられる。
【００３３】
また、図３及び図５に示したディスクのいずれにおいても、光入射面の基板２０及び３
０を０．１ｍｍとし、基板２７と３７を１．１ｍｍにしたディスクを作製した。上記と同
様にディスク裏面からＢＣＡを作成したところ結果は同じになった。このように、本発明
は入射基板厚に因らず片面２層光ディスクのＢＣＡ作成に対して有効であることが明らか
になった。
【００３４】
図９は、図８のＢＣＡレコード等を含む特定情報をＢＣＡに記録する装置の構成例を説
明する図である。ＢＣＡ記録装置によるＢＣＡ信号（図８のＢＣＡレコード等の情報を含
む信号）の記録は、完成形となったディスク１００に対して行われる。コントローラ２０
２からのＢＣＡ信号に応じてレーザ２１０を変調し、ディスク１００の回転に同期させて
バーコード状のＢＣＡマークを記録する。ＢＣＡ記録装置のレーザ波長には、６００ｎｍ
〜８００ｎｍ（一般的には６５０ｎｍ〜７８０ｎｍあるいは６８０ｎｍ〜７８０ｎｍ）の
範囲内の１つが採用される。
【００３５】
ＢＣＡの記録場所は、２層光ディスクならば一般的にＬ１層の内周部半径２２．３ｍｍ
〜２２．１５ｍｍ付近にある。ＢＣＡ記録を行う際はディスク裏面からＬ１層にレーザを
照射することになるが、この発明の実施の形態では、Ｌ１層にＡｇ合金反射層を用いて同
反射層の光吸収率が光源波長に対して２０％以上５０％以下とし、または／および同反射
層の熱伝導率が５０Ｗ／ｍＫ以上２５０Ｗ／ｍＫ以下であるとすることで、Ｌ１層にのみ
選択的にＢＣＡ信号を正確に記録することができる。
【００３６】
このように各層の色素の感度（使用波長における吸光度）を調整することで、現在ＤＶ
Ｄ製造ラインで一般的に使われているＢＣＡ記録装置のレーザ波長とレーザパワーそのま
まで、次世代光ディスクに対してＢＣＡ信号を記録することができる。また、Ｌ１層だけ
に選択的にＢＣＡ信号を記録することが可能なため、再生時にはＬ０層からの余分なクロ
ストークノイズも無い。
【００３７】
図１０は、追記型片面多層（２層）光ディスクのＬ１層に特定情報を記録（ＢＣＡポス
トカット）する手順の一例を説明するフローチャートである。図８のＢＣＡレコード等の
特定情報を含むＢＣＡ信号が図９のコントローラ２０２からレーザ出力制御部２０８に供
給されると、その信号内容に対応して、レーザダイオード２１０から、波長６００ｎｍ〜
８００ｎｍ（または６５０ｎｍ〜７８０ｎｍ、もしくは６８０ｎｍ〜７８０ｎｍ）の中の
１つの波長のレーザ光が発光する（ＳＴ１０）。こうして発光されたレーザ光パルスは、
ディスク１００の裏面からＬ１層のＢＣＡ記録場所に照射される（ＳＴ１２）。この照射
はディスク１００の回転に同期して継続される。ＢＣＡへの記録情報の残りがなくなれば
（ＳＴ１４のＹｅｓ）、ディスク裏面からのＬ１層へのＢＣＡポストカットが終了する。
【００３８】
次に、本発明の片面２層光ディスクに情報を記録又は再生するための記録再生装置につ
いて図１１を用いて説明する。
図１１に示すように、光ディスク１００は本発明の片面２層光ディスクである。光源に
は短波長の半導体レーザ光源１２０が用いられる。その出射光の波長は、例えば４００ｎ
ｍ〜４１０ｎｍの範囲の紫色波長帯のものである。半導体レーザ光源１２０からの出射光
１０２は、コリメートレンズ１２１により平行光となり偏光ビームスプリッタ１２２、λ
／４板１２３を透過して、対物レンズ１２４に入射される。その後、光ディスク１００の
基板を透過し、各情報記録層に集光されるようになっている。光ディスク１００の情報記
録層による反射光１０１は、再び光ディスク１００の基板を透過し、対物レンズ１２４、
λ／４板１２３を透過し、偏光ビームスプリッタ１２２で反射された後、集光レンズ１２
５を透過して光検出器１２６に入射される。
【００３９】
光検出器１２７の受光部は、通常複数に分割されておりそれぞれの受光部から光強度に
応じた電流を出力する。出力された電流は、図示しないＩ／Ｖアンプ（電流電圧変換）に
より電圧に変換された後、演算回路１４０に入力される。入力された電圧信号は、演算回
路１４０によりチルト誤差信号及びＨＦ信号及びフォーカス誤差信号及びトラック誤差信
号などに演算処理される。チルト誤差信号はチルト制御を行うためのものであり、ＨＦ信
号は光ディスクＤに記録された情報を再生するためのものであり、フォーカス誤差信号は
フォーカス制御を行うためのものであり、またトラック誤差信号はトラッキング制御を行
うためのものである。
【００４０】
対物レンズ１２４はアクチュエータ１２８にて上下方向、ディスクラジアル方向、およ
びチルト方向(ラジアル方向または／およびタンジェンシャル方向)に駆動可能であり、サ
ーボドライバ１５０によって光ディスク１００上の情報トラックに追従するように制御さ
れる。なお、チルト方向には２種類ある。光ディスクの中心に向かってディスク面が傾く
ことで生じる「ラジアルチルト」と、トラックの接線方向に生じる「タンジェンシャルチ
ルト」とがある。このうちディスクの反りで一般に生じるのはラジアルチルトである。単
にディスク製造時に生じるチルトだけではなく、経年変化や使用環境の急変で生じるチル
トも考慮する必要がある。このような記録再生装置を用いて、本発明の片面２層光ディス
クを再生することができる。
【００４１】
なお、本願発明は、上記実施形態に限定されるものではなく、実施段階ではその要旨を
逸脱しない範囲で種々に変形することが可能である。また、各実施形態は可能な限り適宜
組み合わせて実施してもよく、その場合組み合わせた効果が得られる。更に、上記実施形
態には種々の段階の発明が含まれており、開示される複数の構成要件における適当な組み
合わせにより種々の発明が抽出され得る。例えば、実施形態に示される全構成要件からい
くつかの構成要件が削除されても、発明が解決しようとする課題の欄で述べた課題が解決
でき、発明の効果の欄で述べられている効果が得られる場合には、この構成要件が削除さ
れた構成が発明として抽出され得る。
【図面の簡単な説明】
【００４２】
【図１】本発明の実施形態に係る片面２層光ディスクを示した概観図。
【図２】本発明の実施形態に係る片面２層光ディスクを示した断面図。
【図３】図２に示す片面２層光ディスクの具体例を示した断面図。
【図４】図３における片面２層光ディスクにおけるＢＣＡ作成用レーザ出力と反射率の関係を示した図。
【図５】図２に示す片面２層光ディスクの具体例を示した断面図。
【図６】図５における片面２層光ディスクにおけるＢＣＡ作成用レーザ出力と反射率の関係を示した図。
【図７】ＢＣＡ作成用レーザ出力の条件を示した図。
【図８】ＢＣＡに記録されるＢＣＡレコードの内容例を説明する図。
【図９】図８のＢＣＡレコードを含む特定情報をＢＣＡに記録する装置の構成例を説明する図。
【図１０】図８のＢＣＡレコードを含む特定情報をＢＣＡに記録する方法を示したフローチャート。
【図１１】片面２層光ディスクに情報を記録又は再生するための記録再生装置を示した図。
【符号の説明】
【００４３】
１・・・ＢＣＡ、２・・・Ｌ１層の主情報記録領域、１０、２０、３０・・・ＰＣ基板、
１１、１４・・・有機色素記録層、１２・・・透過型反射層、１３、１６・・・紫外線硬
化型樹脂層、１５・・・全反射、１７・・・ＰＣ基板
【図１】
2008004151.tif 000003
【図２】
2008004151.tif 000004
【図３】
2008004151.tif 000005
【図４】
2008004151.tif 000006
【図５】
2008004151.tif 000007
【図６】
2008004151.tif 000008
【図７】
2008004151.tif 000009
【図８】
2008004151.tif 000010
【図９】
2008004151.tif 000011
【図１０】
2008004151.tif 000012
【図１１】
2008004151.tif 000013